(57)【要約】【課題】外被への埋設位置を考慮することなく外被引裂き紐を配しても、ケーブルからの引き抜けや外被の引裂き不良が生じない光ケーブルを提供する。【解決手段】複数の光ファイバ心線を上巻テープ１３により保護すると共に一括して束ねてなるケーブルコア１４の外側に、外被引裂き紐１７を縦添して押出成形による外被１５により被覆した光ケーブルであって、外被引裂き紐１７が上巻テープの表面に接着固定されている。なお、上記の上巻テープ１３と外被引裂き紐１７とは、その接触部が外被１５の押出成形時の熱により融着して接着固定されるようにしてもよい。また、外被引裂き紐１７は、外被の押出成形時の熱により溶融する熱可塑性樹脂からなる紐が撚り合わされているか、または、熱可塑性樹脂の層で覆われているものを用いる。【選択図】図１
2014095732.tif 000002
【特許請求の範囲】
【請求項１】
複数の光ファイバ心線を上巻テープにより保護すると共に一括して束ねてなるケーブルコアの外側に、外被引裂き紐を縦添して押出成形による外被により被覆した光ケーブルであって、
前記外被引裂き紐が前記上巻テープの表面に接着固定されていることを特徴とする光ケーブル。
【請求項２】
前記上巻テープと前記外被引裂き紐とは、その接触部が前記外被の押出成形時の熱により融着して接着固定されていることを特徴とする請求項１に記載の光ケーブル。
【請求項３】
前記外被引裂き紐は、前記外被の押出成形時の熱により溶融する熱可塑性樹脂からなる紐が撚り合わされていることを特徴とする請求項２に記載の光ケーブル。
【請求項４】
前記外被引裂き紐は、前記外被の押出成形時の熱により溶融する熱可塑性樹脂の層で覆われていることを特徴とする請求項２に記載の光ケーブル。
【発明の詳細な説明】
【技術分野】
【０００１】
本発明は、複数の光ファイバ心線を束ねたケーブルコアと外被との間に外被引裂き紐を配した光ケーブルに関する。
【背景技術】
【０００２】
多心の光ケーブルは、複数の光ファイバ心線を単心のまま、もしくは、数心の光ファイバ心線をテープ状にした光ファイバテープ心線を束ねてケーブルコアとした後、全体を押出成形により外被（シースともいう）で覆って構成される。また、外被にはテンションメンバ（抗張力体ともいう）を埋設すると共に、外被の内面側に引裂き紐を縦添えしている。この引裂き紐は、光ケーブルの中間部分から光ファイバ心線の一部を分岐（中間後分岐ともいう）するような場合に、当該部分の引裂き紐を引出すことにより、外被の所定範囲を切裂いて外被の除去を容易にするものである。
【０００３】
この外被の引裂き紐は、今までにも、外被に対する引裂きを効果的に行うための種々の提案がなされている。例えば、特許文献１には、引裂き紐の中心が外被の内表面より内側（光ファイバ心線側）に位置するように配して、外被または複数の光ファイバ心線を保護する保護層（ヤーン）に接着固定することが開示されている。また、特許文献２には、引裂き紐の外被内への埋め込み位置を特定することが開示されている。また、特許文献３には、引裂き紐とケーブルコアとの接触幅や光ファイバ心線を保護するヤーンの充填率を特定することが開示されている。
【先行技術文献】
【特許文献】
【０００４】
【特許文献１】特開２０１２−１７３３９８号公報
【特許文献２】特開２００２−３４１２１２号公報
【特許文献３】特許３７３０１０３号公報
【発明の概要】
【発明が解決しようとする課題】
【０００５】
外被の引裂き紐は、外被の引裂き時にケーブルから引き抜けたりせず、外被が部分的にケーブルコア上に残らないようにして、外被が確実に引裂けるように設ける必要がある。このため、特許文献１〜３のいずれにおいても、引裂き紐の外被内への埋設状態を厳密に管理することが要求されている。
しかしながら、光ケーブルの太さや外被の厚みによって、引裂き紐の位置は異なるため、その埋設位置の設定には微調整等が必要とされ、高精度な制御が必要とされる。このため、製造速度を上げることが難しく、生産性の向上を阻害する一因となっている。
【０００６】
本発明は、上述した実状に鑑みてなされたもので、外被への埋設位置を考慮することなく外被引裂き紐を配しても、ケーブルからの引き抜けや外被の引裂き不良が生じない光ケーブルを提供することを目的とする。
【課題を解決するための手段】
【０００７】
本発明による光ケーブルは、複数の光ファイバ心線を上巻テープにより保護すると共に一括して束ねてなるケーブルコアの外側に、外被引裂き紐を縦添して押出成形による外被により被覆した光ケーブルであって、外被引裂き紐が上巻テープの表面に接着固定されていることを特徴とする。
なお、上記の上巻テープと外被引裂き紐とは、その接触部が外被の押出成形時の熱により融着して接着固定されていることが好ましい。また、外被引裂き紐は、外被の押出成形時の熱により溶融する熱可塑性樹脂からなる紐が撚り合わされているか、または、外被の押出成形時の熱により溶融する熱可塑性樹脂の層で覆われているものを用いることができる。
【発明の効果】
【０００８】
本発明によれば、ケーブルコアの上巻テープの表面に縦添で外被引裂き紐を押し付け、そのまま上巻テープに接着固定するだけでよく、外被引裂き紐の外被内への埋設位置の管理を行う必要がないので、製造速度を高めることができる。また、外被引裂き紐は、上巻テープに接着固定されるので、引き抜けが防止されると共に外被を内面から確実に引裂くことができる。
【図面の簡単な説明】
【０００９】
【図１】本発明による光ケーブルの概略を説明する図である。
【図２】本発明に用いる引裂き紐の一例を示す図である。
【図３】本発明に用いる引裂き紐の他の例を示す図である。
【発明を実施するための形態】
【００１０】
図により本発明の実施の形態を説明する。図１において、１０ａ，１０ｂ，１０ｃは光ケーブル、１１ａは光ファイバテープ心線、１１ｂは光ファイバ心線束、１１ｃは光ファイバユニット、１２は緩衝層（ヤーン）、１３は上巻テープ、１４はケーブルコア、１５は外被、１５ａは突条、１６はテンションメンバ、１７は引裂き紐、１８は支持線部、１９は連結部を示す。
【００１１】
図１（Ａ）は、光ファイバテープ心線を用いた光ケーブルで、例えば、テープ心線を複数枚積層して多心の光ケーブル１０ａとした例である。図に示す光ケーブル１０ａは、４心の光ファイバテープ心線１１ａを６枚積層して束ねて２４心とし、その外側を繊維束からなるヤーンで覆って光ファイバに対する保護または緩衝層１２とし、その外周を上巻テープ（押え巻きテープともいう）１３で押えてケーブルコア１４としている。なお、上巻テープ１３には、通常、ポリエステル繊維等の不織布が用いられる。
【００１２】
図１（Ｂ）は、単心の光ファイバ心線を用いた光ケーブルで、例えば、数心の光ファイバ心線を束にして、これを複数束集合させて多心の光ケーブル１０ｂとした例である。図に示す光ケーブル１０ｂは、４心の光ファイバ心線束１１ｂを６束集合して２４心とし、その外側を繊維束からなるヤーンで覆って光ファイバに対する保護または緩衝層１２とし、その外周を上巻テープ１３で押えてケーブルコア１４としている。
【００１３】
図１（Ａ）（Ｂ）に示す光ケーブル１０ａ，１０ｂは、ケーブルコア１４の外側に、外被を長手方向に引裂くための外被引裂き紐（以下、引裂き紐という）１７を縦添えし、テンションメンバ１６と共に押出成形による外被１５で覆って構成される。外被１５には、通常、ポリエチレン樹脂や難燃ポリエチレン樹脂が用いられる。引裂き紐１７は、ケーブルコア１４の上巻テープ１３の表面に接して接着固定され、接着されない部分が外被１５内に埋設される。なお、引裂き紐１７の埋設位置は、例えば、外被１５の表面に突条１５ａを一体成形することにより表示される。
また、本例では支持線部を有しない形態で示してあるが、次の図１（Ｃ）で示すのと同様に、支持線部を有する形態としてもよい。
【００１４】
図１（Ｃ）は、光ファイバユニットを用いた光ケーブルで、例えば、複数の光ファイバ心線を集合して光ファイバユニットとし、このユニットを複数集合して多心の光ケーブル１０ｃとした例である。また、本例では、光ケーブルと一体に連結部１９を介して支持線部１８を一体に設けた例で示しているが、支持線部１８を有しない形態であってもよい。
図に示す光ケーブル１０ｃは、例えば、２０心の光ファイバ心線を集合して光ファイバユニット１１ｃとし、これを１０ユニット集合させて２００心とし、その外周を上巻テープ１３で緩衝層を設けることなく直接押えてケーブルコア１４としている。
【００１５】
図１（Ｃ）に示す光ケーブル１０ｃは、図１（Ａ）（Ｂ）の例と同様に、ケーブルコア１４の外側に、外被を長手方向に引裂くための引裂き紐１７を縦添えし、テンションメンバ１６と共に押出成形による外被１５で覆って構成される。引裂き紐１７は、ケーブルコア１４の上巻テープ１３の表面に接して接着固定され、接着されない部分が外被１５内に埋設される。なお、引裂き紐１７の埋設位置は、例えば、外被１５の表面に突条１５ａを一体成形することにより表示される。
【００１６】
なお、図１に示す光ケーブル１０ａ〜１０ｃは、複数の光ファイバ心線またはテープ心線を束ね、スロットロッドを用いずに捻回または捻回することなくストレートの状態で上巻テープによりケーブルコア化した例で示しているが、スロットロッドを用いた光ケーブルに用いることもできる。スロットロッドを用いた場合は、スロット溝に複数の光ファイバ心線またはテープ心線を収容し、上巻テープを巻付けた状態をケーブルコアとする。
また、上巻テープ１３は、螺旋状に巻付けられるか、縦添えで巻付けられるかの何れの形態であってもよい。
【００１７】
上述した引裂き紐１７は、接着剤等を用いて上巻テープ１３の表面に接着固定するようにしてもよいが、上巻テープ材との融着性を合わせることにより、上巻テープ１３に熱溶融で接着固定するようにしてもよい。この場合、外被の押出成形時の熱を利用して、上巻テープまたは引裂き紐、若しくは、その両方を熱溶融して融着することができる。
【００１８】
図２，３は、熱融着により接着固定する引裂き紐の例を示す図である。図２は複数本の紐を撚り合わせて所定の引張強さを有する引裂き紐とした例である。本例は、ポリエステル繊維、アラミド繊維等を撚り合わせてなるもので、例えば、小径に撚られた繊維紐２０ａ，２０ｂを、さらに複数本撚り合わせて引裂き紐１７ａ，１７ｂとしたものを用いることができる。この場合、撚り合わされる小径の繊維紐２０ａ，２０ｂの少なくとも１本が、外被の押出成形時の熱により溶融する低融点ナイロン等の熱可塑性樹脂の紐２１ａ，２１ｂとされる。
【００１９】
図２（Ａ）に示す引裂き紐１７ａは、７本の紐のうち１本を熱可塑性樹脂の紐２１ａとして、撚り合わせた例である。図２（Ｂ）は、この引裂き紐１７ａを上巻テープ１３の表面に縦添えして、外被１５内に埋設した状態を示した図である。引裂き紐１７ａは、外被１５の押出成形時の熱により熱可塑性樹脂の紐２１が溶融し、ケーブル長手方向で上巻テープ１３の表面に融着部２２ａで示すように間欠的に融着される。
【００２０】
また、図２（Ｃ）に示す引裂き紐１７ｂは、３本の紐のうち１本を熱可塑性樹脂の紐２１ｂとし、撚り合わせた例である。図２（Ｄ）は、この引裂き紐１７ｂを上巻テープ１３の表面に縦添えして、外被１５内に埋設した状態を示した図である。引裂き紐１７ｂは、外被の押出成形時の熱により熱可塑性樹脂の紐２１が溶融し、ケーブル長手方向で上巻テープ１３の表面に融着部２２ｂで示すように間欠的に融着固定される。
【００２１】
図２（Ｂ）と図２（Ｄ）で示すように、撚り合わせる小径の繊維紐２０ａ，２０ｂの本数を変えることにより、熱可塑性樹脂の紐２１ａ，２１ｂによる上巻テープ１３との融着間隔を変えることができる。また、図２（Ａ）のように撚り合わせる小径の繊維紐２０ａの本数が多い場合は、熱可塑性樹脂の紐２１ａの本数を増やすことによっても、上巻テープ１３との融着間隔を変えることができる。
【００２２】
図３は、引裂き紐の表面を、外被の押出成形時の熱により溶融する熱可塑性樹脂の層で覆った例である。本例は、図２の例と同様にポリエステル繊維、アラミド繊維等を撚り合わせてなるもので、所定の引張強さを有するように束ねて、図３（Ａ）に示すように断面円形状の繊維紐２３ａ、図３（Ｂ）に示すように断面矩形状の繊維紐２３ｂ、若しくは、図３（Ｃ）に示すように小径の紐にしてこれを複数本束ねた繊維紐２３ｃを基体としたものである。
【００２３】
これらの繊維紐２３ａ〜２３ｃの基体の表面は、外被の押出成形時の熱により溶融する低融点ナイロン等の熱可塑性樹脂の層２４ａ，２４ｂ，２４ｃにより覆われて、引裂き紐１７ｃ，１７ｄ，１７ｅとされる。
図３（Ｄ）は、これら引裂き紐１７ｃ〜１７ｅを上巻テープ１３の表面に縦添して、外被１５内に埋設した状態を示した図である。引裂き紐１７ｃ〜１７ｅは、外被の押出成形時の熱により熱可塑性樹脂の層２４ａ〜２４ｃが溶融し、ケーブル長手方向で上巻テープ１３の表面に融着部２５で示すように連続的に融着固定される。
【００２４】
本発明は、上述したようにケーブルコアの上巻テープと外被との間に配設する外被引裂き紐を、上巻テープの表面に接着固定するようにしている。一方、引裂き紐は、使用する材料によっては、外被とも接着することもある。しかし、本発明においては、引裂き紐が外被と接着しているか否か、そして、外被内にどの程度埋設されているかについても問わないものであり、製造においてそのための管理も必要としない。
【００２５】
本発明においては、引裂き紐がケーブルコアの上巻テープの表面に直接接着固定される形態であるため、引裂きに先だって引裂き紐が引き抜けるということがなくなる。また、引裂き紐と上巻テープとの間に、押出成形の外被材が回り込んで引裂き紐が外被内に完全に埋まるということもない。このため、引裂き紐を引き出した際に、外被が上巻テープ上に残ってしまうということもなく、引裂き作業を容易にすることができる。
【符号の説明】
【００２６】
１０ａ，１０ｂ，１０ｃ…光ケーブル、１１ａ…光ファイバテープ心線、１１ｂ…光ファイバ心線束、１１ｃ…光ファイバユニット、１２…緩衝層（ヤーン）、１３…上巻テープ、１４…ケーブルコア、１５…外被、１５ａ…突条、１６…テンションメンバ、１７，１７ａ〜１７ｅ…引裂き紐、１８…支持線部、１９…連結部、２０ａ，２０ｂ、２３ａ〜２３ｃ…繊維紐、２１ａ，２１ｂ…熱可塑性樹脂の紐、２２ａ，２２ｂ，２５…融着部、２４ａ〜２４ｃ…熱可塑性樹脂の層。
【図１】
2014095732.tif 000003
【図２】
2014095732.tif 000004
【図３】
2014095732.tif 000005